(57)【特許請求の範囲】
【請求項１】
電極組立体を備える蓄電装置において、
前記電極組立体は、
複数のシート状の電極がセパレータを介して互いに絶縁状態で積層される積層体と、
前記積層体の外側に配されるシートを備え、
前記複数の電極は、端部からタブが突出し、
前記シートは、
金属シートであって、
前記積層体の積層方向において最も外側に位置する前記積層体の最外層電極に重ねられる積層シート部と、
前記積層シート部から延在し、前記積層体の前記複数の電極の前記タブが突出する前記端部とは異なる端部を覆う延在シート部とを備えることを特徴とする蓄電装置。
【請求項２】
前記シートは、前記積層体の前記最外層電極と異なる極性の電極であることを特徴とする請求項１記載の蓄電装置。
【請求項３】
前記シートは、前記積層体の前記最外層電極を形成する金属箔と同一材質であることを特徴とする請求項１記載の蓄電装置。
【請求項４】
前記シートは、単一のシートからなることを特徴とする請求項１から３のいずれか一項に記載の蓄電装置。
【請求項５】
前記シートは、複数のシートからなることを特徴とする請求項１から３のいずれか一項に記載の蓄電装置。
【発明の詳細な説明】
【技術分野】
【０００１】
この発明は、蓄電装置に関する
【背景技術】
【０００２】
近年、リチウムイオン二次電池は、電子機器の電源だけでなく、ハイブリッド車や電気自動車の電源として採用されている。
通常、リチウムイオン二次電池の電池ケース内には、発電要素としての電極組立体が収容されており、電極組立体は、金属箔に正極活物質を塗布した正極と、金属箔に負極活物質を塗布した負極と、正極と負極との間に介在される絶縁部材としてのセパレータとを備えている。
電極組立体としては、例えば、巻回型の電極組立体と積層型の電極組立体が存在する。巻回型の電極体は、長尺状の正極および負極の間にセパレータを介在させた電極シートを巻回することにより形成されている。一方、積層型の電極組立体は、多数の正極、負極及びセパレータが面対向するように交互に積層される構造を有する。
【０００３】
電極組立体を備える蓄電装置の従来技術としては、例えば、特許文献１に開示された蓄電装置が知られている。
特許文献１に開示された蓄電装置の電極組立体は、積層型であり、袋状のセパレータに収容された矩形シート状の正極と袋状のセパレータに収容された矩形シート状の負極とを交互に積層して積層体を形成して容器に収容し、容器の内部を密封する構造である。電極組立体の正極及び負極は、所定間隔で互いに平行して積層配置され、正極と負極の間に短絡を防止するセパレータを介在させている。
【先行技術文献】
【特許文献】
【０００４】
【特許文献１】特開２００３−１９７１７８号公報
【発明の概要】
【発明が解決しようとする課題】
【０００５】
しかしながら、特許文献１に開示された電極組立体を備える蓄電装置では、蓄電装置の充放電に伴い電極組立体が発熱し、電極組立体が高温となることにより電極組立体が劣化し、蓄電装置の性能が低下してしまう恐れがある。このため、電極組立体の発熱により蓄電装置の性能を低下させないように、蓄電装置の充放電に伴い発熱する電極組立体の放熱性を高める必要がある。よって、電極組立体の熱を電極組立体の外部に放熱する必要がある。正極及び負極を積層して構成した積層体の積層方向において最も外側に位置する一対の積層体の最外層電極の積層方向における外側面は、表面積すなわち伝熱面積が大きいため放熱し易い。しかし、積層体の複数の矩形シート状の電極の端部は、表面積すなわち伝熱面積が小さく、一対の最外層電極の外側面と比較して放熱し難い。さらに、積層体の電極の端部は放熱性が高くない樹脂性のセパレータが正極と負極の間の短絡を防ぐために電極からはみ出して束となって存在するために放熱し難い。したがって、電極組立体の熱は積層体の電極の端部から放熱され難い。
【０００６】
本発明は上記の問題点に鑑みてなされたもので、本発明の目的は、蓄電装置の充放電に伴い発熱する電極組立体の放熱性を高めることができる蓄電装置の提供にある。
【課題を解決するための手段】
【０００７】
上記の課題を解決するために、本発明は、電極組立体を備える蓄電装置において、前記電極組立体は、複数のシート状の電極がセパレータを介して互いに絶縁状態で積層される積層体と、前記積層体の外側に配されるシートを備え、前記複数の電極は、端部からタブが突出し、前記シートは、金属シートであって、前記積層体の積層方向において最も外側に位置する前記積層体の最外層電極に重ねられる積層シート部と、前記積層シート部から延在し、前記積層体の前記複数の電極の前記タブが突出する前記端部とは異なる端部を覆う延在シート部とを備えることを特徴とする。
【０００８】
本発明によれば、積層体の各電極の面は表面積すなわち伝熱面積が大きいので放熱性が高い。従って、積層体の複数の電極の熱は順に伝わり一対の最外層電極に伝えられる。積層体の最外層電極に伝わった熱はさらに外側に重ねられたシートの積層シート部に伝えられる。熱の一部は積層シート部から電極組立体の外部に放熱され、熱の残りの一部は積層シート部の端部から延在し積層体の複数の電極の端部に沿う延在シート部に伝えられる。延在シート部は、積層シート部と同様に、表面積すなわち伝熱面積が大きいため放熱性が高い。積層シート部から延在シート部に伝えられた熱は、延在シート部から電極組立体の外部に放熱される。
【０００９】
したがって、積層体の複数の電極の端部に沿う面を電極組立体に設けることができ、電極組立体からの放熱性を高めることができる。また、電極組立体の熱を外部に放熱させるための伝熱面積を大きくすることができ、電極組立体の放熱性を高めることができる。その結果、電極組立体が高温とならず、電極組立体の熱により蓄電装置の性能が低下することを防止することができる。
【００１０】
また、上記の蓄電装置において、前記シートは、前記最外層電極と異なる極性の電極であっても良い。
この場合、シートを放熱部材及び電極として兼用することができる。
【００１１】
また、上記の蓄電装置において、前記シートは、前記最外層電極が備える金属箔と同一材質であっても良い。
この場合、シートを放熱部材として利用することができる。
【００１２】
また、上記の蓄電装置において、前記シートは、単一のシートからなっても良く、また、複数のシートからなっても良い。
【発明の効果】
【００１３】
本発明によれば、蓄電装置の充放電に伴い発熱する電極組立体の放熱性を高めることができる蓄電装置を提供することができる。
【図面の簡単な説明】
【００１４】
【図１】本発明の第１の実施形態に係る二次電池の分解斜視図である。
【図２】本発明の第１の実施形態に係る二次電池の縦断面図である。
【図３】本発明の第１の実施形態に係る二次電池の電極組立体を分解して示す上面図である。
【図４】本発明の第１の実施形態に係る二次電池の電極組立体を示す斜視図である。
【図５】本発明の第１の実施形態に係る二次電池の電極組立体の一部を示す分解斜視図である。
【図６】本発明の第１の実施形態に係る二次電池の電極組立体の組み立て順序を説明するための説明図である。
【図７】本発明の第２の実施形態に係る二次電池の電極組立体の組み立て順序を説明するための説明図である。
【発明を実施するための形態】
【００１５】
（第１の実施形態）
以下、第１の実施形態に係る蓄電装置を図面を参照して説明する。
本実施形態では、蓄電装置としての二次電池について例示し、本実施形態の二次電池は具体的にはリチウムイオン二次電池である。
【００１６】
図１及び図２に示すように、本実施形態の二次電池１０は角型の二次電池である。二次電池１０の電池ケース１１には電極組立体２０が収容されている。電池ケース１１は有底筒状のケース本体１２と、ケース本体１２の開口１３を閉塞する矩形平板状の蓋体１４を有している。ケース本体１２および蓋体１４は金属材料（例えば、アルミニウム）により形成されている。
【００１７】
図２に示すように、ケース本体１２の内面には、電池ケース１１に収容された電極組立体２０との絶縁を図るための絶縁部材としての絶縁シート１５が貼着されている。また、蓋体１４の内側面には、電池ケース１１に収容された電極組立体２０との絶縁を図るための絶縁部材としての絶縁シート１６が貼着されている。蓋体１４には一対の通孔１７が形成されている。
【００１８】
電極組立体２０は、充電及び放電などの電池機能を生じさせる発電要素である。
図３及び図４に示すように、電極組立体２０は、積層体４０と金属シート４３とを備える。積層体４０は複数の略矩形シート状の正極２１と複数の略矩形シート状の負極２２とが絶縁部材であるセパレータ３１を介して互いに絶縁状態で交互に積層されて層状に形成されている。セパレータ３１は袋状であり、正極２１を収容し、正極２１と負極２２の間に介在するように配されて、正極２１と負極２２の間を絶縁する。なお、本実施形態のセパレータ３１は、多孔質樹脂シートである。本実施形態の正極２１及び負極２２は、本発明の電極である。本実施形態の金属シート４３は、本発明のシートである。積層体４０の複数の略矩形シート状の電極の長手方向の両端部を長手方向端部４７とし、短手方向の両端部を短手方向端部とする。
【００１９】
本実施形態では、図３に示すように、積層体４０の積層方向において最も外側に位置する一対の電極を積層体４０の最外層電極４１とし、一対の最外層電極４１を除く積層体４０の電極を内層電極４２とする。最外層電極４１の積層方向における外側の面を外側面５５とする。最外層電極４１は、袋状のセパレータ３１に収容された正極２１である。一対の最外層電極４１の外側を、後述する負極として機能させる金属シート４３で覆うため、一対の最外層電極４１は正極としている。従って、図３に示すように、積層体４０は、積層方向において外側からセパレータ３１、正極２１、セパレータ３１、負極２２、セパレータ３１、正極２１、セパレータ３１、の順番を繰り返し積層されている。複数のセパレータ３１の長手方向端部は、正極２１と負極２２の間の短絡を確実に防ぐため、積層体４０の複数の電極の長手方向端部４７からはみ出して束となって存在している。
【００２０】
図５に示すように、複数の正極２１は同一寸法であり、同一の構造を有するように形成されている。正極２１は、矩形シート状の正極本体２３と、正極本体２３の縁部に形成される帯状の正極タブ部２４を有する。正極本体２３は、正極金属箔２５と、正極金属箔２５の両面に塗工された正極活物質により形成された正極活物質層２６を有する。正極タブ部２４は正極金属箔により形成されており、正極タブ部２４には、正極活物質が塗工されていない。なお、本実施形態の正極金属箔２５はアルミニウム箔であり、本発明の金属箔である。
【００２１】
図５に示すように、複数の負極２２は同一寸法であり、同一の構造を有するように形成されている。負極２２は、矩形シート状の負極本体２７と、負極本体２７の縁部に形成される帯状の負極タブ部２８を有する。負極本体２７は、負極金属箔２９と、負極金属箔２９の両面に塗工された負極活物質により形成された負極活物質層３０を有する。負極タブ部２８は負極金属箔により形成されており、負極タブ部２８には、負極活物質が塗工されていない。なお、本実施形態の負極金属箔２９は銅箔であり、本発明の金属箔である。
【００２２】
図５に示すように、各正極タブ部２４は、電極組立体２０の積層方向に沿って列状に配置されている。各負極タブ部２８は、正極タブ部２４と積層方向において重ならないように、正極タブ部２４と同様に、積層方向に沿って列状に配置されている。本実施形態において、各正極タブ部２４は、互いに同一寸法に設定されており、負極タブ部２８も同様に、互いに同一寸法に設定されている。図４に示すように、複数の正極２１の正極タブ部２４は、積層方向の一端側に集められて正極集電群３２を形成し、複数の負極２２の負極タブ部２８は、正極集電群３２と同じ側に集められて負極集電群３３を形成する。
【００２３】
図１及び図２に示すように、正極集電群３２には正極集電板３４が接合され、負極集電群３３には負極集電板３５が接合されている。正極集電板３４には、過電流保護回路３６を介して電気的に接続されている正極端子３７が設けられている。また、負極集電板３５には、過電流保護回路３６を介して電気的に接続される負極端子３８が設けられている。電極組立体２０が電池ケース１１に収容された状態では、正極端子３７と負極端子３８は、蓋体１４の一対の通孔１７から電池ケース１１の外部に露出する。正極端子３７および負極端子３８には、正極端子３７および負極端子３８を蓋体１４から絶縁するための樹脂製の筒状の絶縁リング３９がそれぞれ取り付けられている。
【００２４】
次に、金属シート４３について説明する。
図３及び図４に示すように、金属シートを折り曲げてシート状の積層シート部４４と、積層シート部４４から延在するシート状の延在シート部４５を有する一対の金属シート４３を形成する。よって、金属シートは複数の金属シート４３からなる。積層シート部４４と延在シート部４５の面がなす角度は直角である。最外層電極４１と重なる積層シート部４４の面は内側面５１であり、電極組立体２０の外部を臨む積層シート部４４の面は外側面５２である。また、延在シート部４５の一方の面が長手方向端部４７と対向する内側面５３であり、延在シート部４５の他方の面が電極組立体２０の外部を臨む外側面５４である。積層シート部４４が延在シート部４５と接続する積層シート部４４の端部は長手方向端部４６である。また、積層シート部４４において延在シート部４５と接続する長手方向端部４６と反対側となる端部も長手方向端部４６である。
【００２５】
本実施形態では、金属シート４３を負極として機能させる。金属シート４３は、負極本体４９と負極タブ部５０を有する。図３に示すように、負極本体４９は、負極金属箔５６と負極活物質層５７を備える。金属シート４３の縁部には帯状の負極タブ部５０が形成される。
【００２６】
上記のように構成した一対の金属シート４３により、積層体４０の複数の電極の長手方向端部４７と一対の最外層電極４１の外側面５５とを覆う。金属シート４３の積層シート部４４は最外層電極４１に重ねられ、延在シート部４５は積層シート部４４の長手方向端部４６から延在し、積層体４０の複数の電極の長手方向端部４７に沿うように配される。積層シート部４４の内側面５１が最外層電極４１の外側面５５と対向し、延在シート部４５の内側面５３が積層体４０の電極の長手方向端部４７と対向する。一対の各金属シート４３の負極タブ部５０は、最外層電極４１の外側において金属シート４３の負極タブ部２８とともに電極組立体２０の積層方向に沿って列状となるように金属シート４３の縁部に形成されている。一対の金属シート４３は、負極タブ部５０を除き、相似形状をなす。よって、一対の金属シート４３により積層体４０の電極の長手方向端部４７及び最外層電極４１の外側面５５に沿った積層体４０の全周を覆う。
【００２７】
また、本実施形態では、図３に示すように、金属シート４３の積層シート部４４の内側面５１は、最外層電極４１である正極２１を収容するセパレータ３１の積層方向における外側面と当接し、金属シート４３の延在シート部４５は、図３に示すように、複数のセパレータ３１の長手方向端部と当接する。
【００２８】
以下、電極組立体２０の組み立て順序について詳細に説明する。
図６（ａ）に示すように、複数の正極２１の正極本体２３と複数の負極２２の負極本体２７とが面対向するように正極２１と負極２２を対として交互に積層する。そして、一対の最外層電極４１が正極となるように、最も外側に位置する負極２２側に正極２１を追加して積層し、層状の積層体４０を形成する。なお、図示していないが、正極２１は袋状のセパレータ３１にあらかじめ収容されている。
【００２９】
次に、図６（ｂ）に示すように、積層体４０の複数の電極の積層方向の一方の側から一対の金属シート４３のうちの一方の金属シート４３を、他方の側から他方の金属シート４３を、積層体４０の複数の電極の長手方向に沿った積層体４０の全周を覆うように、積層シート部４４を最外層電極４１に重ね、延在シート部４５が積層シート部４４の長手方向端部４６から延在し、積層体４０の複数の電極の長手方向端部４７に沿うように、近づける。
【００３０】
そして、図６（ｃ）に示すように、積層体４０の複数の電極の積層方向の一方の側から近づけた金属シート４３と、他方の側から近づけた金属シート４３とを、積層体４０の複数の電極の長手方向端部４７と一対の最外層電極４１の外側面５５とを覆うように配置することにより、積層体４０の複数の電極の長手方向に沿った積層体４０の全周を覆い、電極組立体２０が組み立てられる。組み立てられた電極組立体２０はケース本体１２に収容され、蓋体１４がケース本体１２に接合される。電極組立体２０が電池ケース１１に収容された状態では、金属シート４３は電池ケース１１と当接する。
【００３１】
次に、本実施形態に係る二次電池１０の放熱について説明する。
電極組立体２０は、二次電池１０の充放電に伴い電極組立体２０が発熱するため電極組立体２０が高温となる。電極組立体２０の熱は、電極組立体２０の外側から電極組立体２０よりも比較的温度が低い電極組立体２０の外部に放熱される。従って、電極組立体２０の熱は電極組立体２０の内側から外側に向かって伝わる。積層体４０の各電極の面は表面積すなわち伝熱面積が大きいので放熱性が高い。積層体４０の複数の電極の熱は積層体４０の積層方向の内側から外側に向けて各電極の面を順に伝わる。そして、一対の最外層電極４１の外側面５５に伝わった熱は、さらに外側に重ねられた金属シート４３の積層シート部４４に伝わる。熱の一部は積層シート部４４の外側面５２から電極組立体２０の外部に放熱され、残りの熱の一部は積層シート部４４の長手方向端部４６から延在する延在シート部４５に伝わる。延在シート部４５は、積層シート部４４と同様に、表面積すなわち伝熱面積が大きいため放熱性が高い。積層シート部４４から延在シート部４５に伝えられた熱は、延在シート部４５の外側面５４から電極組立体２０の外部に放熱される。積層体４０の複数の電極の長手方向端部４７は、表面積すなわち伝熱面積が小さく、一対の最外層電極４１の外側面５５と比較して放熱し難い。加えて、積層体４０の電極の長手方向端部４７は、放熱性が高くない樹脂製のセパレータ３１が電極からはみ出して束となって存在するために放熱し難い。したがって、電極組立体２０の積層体４０の電極の長手方向端部４７からは放熱され難く、積層体４０においては積層方向に熱が移動し易い。電極組立体２０が電池ケース１１に収容された状態では、金属シート４３の熱は電池ケース１１へ移動し、電池ケース１１から外部へ放熱される。
【００３２】
本実施形態では、以下の作用効果を奏する。
（１）電極組立体２０の熱は、一対の金属シート４３の積層シート部４４と延在シート部４５とから、電極組立体２０の外部に放熱させることができる。したがって、延在シート部４５の外側面５４から電極組立体２０の熱を電極組立体２０の外部に放熱させることができ、電極組立体２０の長手方向端部の放熱性を高めることができる。また、電極組立体２０の熱を電極組立体２０から外部に放熱させるための伝熱面積を大きくすることができ、電極組立体２０の放熱性を高めることができる。電極組立体２０の放熱性が高いと、二次電池１０の充放電に伴い発熱した電極組立体２０の熱を電極組立体２０の外部に効率良く放熱することができるので、電極組立体２０が高温とならず、二次電池１０の充放電に伴い発熱する電極組立体２０の熱により二次電池１０の性能が低下することを防止することができる。
【００３３】
（２）二次電池１０の電極組立体２０において、金属シート４３により、積層体４０の複数の電極の長手方向に沿った積層体４０の全周を覆っている。よって、熱伝導性の良い金属シート４３を介して電極組立体２０の熱を外部に効率良く放熱することができる。
（３）二次電池１０の電極組立体２０において、金属シート４３を、正極である最外層電極４１とは異なる極性である負極として機能させている。よって、金属シート４３は放熱部材及び電極として兼用することができる。
【００３４】
（第２の実施形態）
次に、第２の実施形態について説明する。
本実施形態では、二次電池の電極組立体における金属シートの構成が第１の実施形態と異なる。本実施形態では、第１の実施形態の説明を援用し共通の符号を用いて説明する。
【００３５】
図７（ｂ）に示す電極組立体６０では、金属シートは一枚の金属シート６１により構成される。本実施形態の金属シート６１は、本発明のシートである。図７（ａ）に示すように、一枚の金属シート６１は一対の最外層電極４１の外側面５５と積層体４０の複数の電極の長手方向端部４７に沿うように折り曲げられる。金属シート６１は、一対の最外層電極４１の外側に重ねられ、積層体４０を挟んで面対向する一対のシート状の積層シート部６３と、積層体４０の複数の電極の両方の長手方向端部４７に沿うように、積層体４０を挟んで面対向する一対のシート状の延在シート部６４とにより構成される。
【００３６】
積層シート部６３において最外層電極４１と重ねられる面が積層シート部６３の内側面６７であり、積層シート部６３において電極組立体６０の外部を臨む面が積層シート部６３の外側面６８である。また、延在シート部６４において長手方向端部４７と対向する面が延在シート部６４の内側面６９であり、延在シート部６４において電極組立体６０の外部を臨む面が延在シート部６４の外側面７０である。積層シート部６３と延在シート部４５とが接続する積層シート部６３の端部は長手方向端部６６である。また、積層シート部６３において延在シート部６４と接続する長手方向端部６６と反対側となる端部も長手方向端部６６である。
【００３７】
本実施形態では、一枚の金属シート６１を第１の実施形態と同様に負極として機能させ、負極２２と同様に、負極本体６２と、負極本体６２の縁部に形成される帯状の負極タブ部６５を有する構成とする。一枚の金属シート６１により一対の積層シート部６３が構成されているので、負極タブ部６５は一対の積層シート部６３の一方にのみ形成されている。
【００３８】
本実施形態によれば、一枚の金属シート６１により積層体４０の一対の最外層電極４１の外側面５５と複数の電極の両方の長手方向端部４７を覆う。すなわち、一枚の金属シート６１により積層体４０の複数の電極の長手方向に沿った積層体４０の全周を覆う。
【００３９】
本実施形態の電極組立体６０を備える二次電池１０によれば、第１の実施形態の作用効果（１）と同等の作用効果に加え、以下の作用効果を奏する。
（４）金属シート６１は単一の金属シートにより形成されている。よって、金属シートが１つで済み、二次電池の部品点数が削減できる。
【００４０】
本発明は、上記の実施形態に限定されるものではなく発明の趣旨の範囲内で種々の変更が可能であり、例えば、次のように変更してもよい。
【００４２】
○  上記の実施形態では、セパレータは袋状で、中に正極を収容して正極と負極の間を絶縁したがこの限りでない。セパレータをシート状に形成し、正極と負極の間に配置して絶縁しても良い。
【００４３】
○  上記の実施形態では、金属シートを負極として機能させる構成としたがこの限りでない。金属シートは放熱性が高ければ良く、最外層電極が備える金属箔と同一材質からなる金属箔のみにより形成して電極として機能させない構成であっても良い。一対の最外層電極は、一方を正極、他方を負極とする構成であっても良い。上記の実施形態と同様に、電極組立体の放熱性を向上させることができる。
【００４４】
○  上記の実施形態では、一対の最外層電極を正極とし、金属シートを負極として機能させる構成としたがこの限りでない。一対の最外層電極は負極であっても良く、金属シートは最外層電極と異なる極性である正極として機能させる構成であっても良い。または、最外層電極が備える金属箔と同一材質からなる金属箔のみにより形成して電極として機能させない構成であっても良い。この場合、上記の実施形態と同様に、電極組立体の放熱性を向上させることができる。
【００４５】
○  上記の実施形態では、単一のまたは一対の金属シートにより積層体の最外層電極の外側面と積層体の複数の電極の長手方向端部を覆う構成、すなわち積層体の電極の長手方向に沿った積層体の全周を覆う構成としたがこの限りでない。電極組立体の表面積すなわち伝熱面積を大きくして電極組立体の外部への放熱性を高めることができれば良く、金属シートが積層体の複数の電極の長手方向に沿った積層体の外周の一部を覆う構成であっても良い。積層体の複数の電極の長手方向端部に変えて短手方向端部を覆う構成や、短手方向に沿った積層体の外周の一部を覆う構成としても良い。
【００４６】
○  上記の実施形態では、金属シートの負極本体の負極活物質層を負極金属箔の両面に負極活物質を塗工して形成したがこの限りでない。金属シートを負極として機能させれば良く、最外層電極である正極の正極活物質に接する負極金属箔の範囲に負極活物質を塗工して形成した負極活物質層であれば良い。したがって、負極本体の負極活物質層を、最外層電極と重ねられる面である負極金属箔の内側面に負極活物質を塗工して形成し、電極組立体の外部を臨む負極金属箔の外側面には負極活物質を塗工しないでも良い。また、金属シートの負極本体の負極活物質層を、積層シート部の負極金属箔に負極活物質を塗工して形成し、延在シート部の負極金属箔には負極活物質を塗工しないでも良い。金属シートを正極として機能させる場合は、最外層電極である負極の負極活物質に接する正極金属箔の範囲に正極活物質を塗工して形成した正極活物質層を備える正極本体からなる金属シートであれば良い。
【００４７】
○  上記の実施形態では、金属シートの延在シート部は、複数のセパレータの長手方向端部と接するように構成したがこの限りでない。金属シートの延在シート部は、積層シート部の熱が延在シート部に伝えられるように積層シート部から延在すれば良く、複数のセパレータの長手方向端部と当接しないように構成しても良い。
【００４８】
○  上記の第２の実施形態では、負極タブ部を金属シートの一対の積層シート部の一方にのみ形成したがこの限りでない。一枚の金属シートにより構成された一対の積層シート部の両方に負極タブ部を形成しても良い。
○  上記の実施形態では、一対の金属シート又は単一の金属シートを用いたが、３枚以上の複数の金属シートを用いても良い。例えば、積層体において電池ケースの開口側に近い部位と、電池ケースの底側に近い部位と、電池ケースの開口側と底側の間にそれぞれ金属シートを設けても良い。
【符号の説明】
【００４９】
１０  二次電池（蓄電装置）
２０、６０  電極組立体
２１  正極（電極）
２２  負極（電極）
２５  正極金属箔（金属箔）
２９  負極金属箔（金属箔）
３１  セパレータ
４１  最外層電極
４２  内層電極
４３、６１  金属シート（シート）
４４、６３  積層シート部
４５、６４  延在シート部
４７  長手方向端部（端部）
【図１】
0006341026.tif 000002
【図２】
0006341026.tif 000003
【図３】
0006341026.tif 000004
【図４】
0006341026.tif 000005
【図５】
0006341026.tif 000006
【図６】
0006341026.tif 000007
【図７】
0006341026.tif 000008